(57)【要約】【課題】  ユーザの操作を極力省略して、容易にデジタル放送を視聴することが可能な電子機器、再生方法及びプログラムを提供すること。【解決手段】  パーソナルコンピュータ１は、カード型受信装置１０との接続を検出したときに放送視聴アプリケーション８４を起動し、前回の接続切断時に視聴されていたラストチャンネルを選局して、カード型受信装置１０が受信した放送データの暗号を復号した上で、視聴ウィンドウ上で再生する。接続切断時にはそのときの選局チャンネルをラストチャンネル履歴情報９６として蓄積する。上記処理が全て自動的に実行されるため、ユーザはカード型受信装置１０をパーソナルコンピュータ１へ挿入するだけで何の操作もすることなく容易に放送番組を視聴することができる。【選択図】  図１１
2006246150.tif 000002
【特許請求の範囲】
【請求項１】
デジタル放送の放送データを受信可能なカード型の受信装置と接続する接続手段と、
前記接続手段により前記カード型受信装置が接続されたときに当該カード型受信装置で受信された放送データを受信して再生する再生手段と
を具備することを特徴とする電子機器。
【請求項２】
請求項１に記載の電子機器であって、
前記デジタル放送は複数のチャンネルで放送されるものであり、
当該電子機器は、
前記再生される放送データが放送されるチャンネルを選局する選局手段と、
前記接続手段による接続が切断されたときに選局されていたラストチャンネルに関する情報を記録する記憶手段と、
前記記憶された情報を基に、前記接続切断後に前記接続手段により前記カード型受信装置と再接続されたときに前記ラストチャンネルを選局するように前記選局手段を制御する選局制御手段と
を更に具備することを特徴とする電子機器。
【請求項３】
請求項２に記載の電子機器であって、
前記記憶手段は、前記ラストチャンネルに関する情報を前記接続切断毎に蓄積し、
前記選局制御手段は、前記再接続時に前記ラストチャンネルで放送データが放送されていない場合には、前記蓄積された情報を基に前記接続切断時の前回の接続切断時のラストチャンネルを選局するように制御することを特徴とする電子機器。
【請求項４】
請求項２に記載の電子機器であって、
前記記憶手段は、前記ラストチャンネルに関する情報を前記接続切断毎に蓄積し、
前記選局制御手段は、前記再接続時に前記ラストチャンネルで放送データが放送されていない場合には、前記蓄積された情報を基に、当該ラストチャンネル以外のチャンネルのうち上記情報の蓄積数が最も多いチャンネルを選局するように制御することを特徴とする電子機器。
【請求項５】
請求項１に記載の電子機器であって、
前記放送データは前記カード型受信装置を識別する識別情報を用いて暗号化されており、
当該電子機器は、
前記識別情報を予め記憶する手段と、
前記記憶された識別情報を用いて、前記カード型受信装置から受信された放送データの暗号を復号する手段と
を更に具備し、
前記再生手段は、前記暗号が復号された場合に前記放送データを再生することを特徴とする電子機器。
【請求項６】
デジタル放送の放送データを受信可能なカード型の受信装置と接続するステップと、
前記接続手段により前記カード型受信装置が接続されたときに当該カード型受信装置で受信された放送データを受信して再生するステップと
を具備することを特徴とする再生方法。
【請求項７】
電子機器に、
デジタル放送の放送データを受信可能なカード型の受信装置と接続するステップと、
前記接続手段により前記カード型受信装置が接続されたときに当該カード型受信装置で受信された放送データを受信して再生するステップと
を実行させるためのプログラム。
【発明の詳細な説明】
【技術分野】
【０００１】
本発明は、例えば衛星デジタル放送のようなデジタル放送の放送データを再生することが可能な電子機器、再生方法及びプログラムに関する。
【背景技術】
【０００２】
従来から、ＰＣカード等の拡張カードやＣＦ（Compact Flash；登録商標）カード等のメモリーカードが挿入可能なパーソナルコンピュータやＰＤＡ、デジタルカメラ等の電子機器が存在する。そのような機器で拡張カードを介して通信を行なったり、メモリーカードに蓄積されたデータを再生したりするには、そのためのアプリケーションが必要であり、当該アプリケーションを機器側で起動させる必要がある。当該アプリケーションの起動は、ユーザの利便性を考慮するとできる限り自動化されることが望ましい。なお、そのようなアプリケーションを起動させるための技術として、下記特許文献１には、メモリーカードをリモートコントローラに挿入したときにリモートコントローラが当該挿入を検出し、メモリーカードに蓄積されたデータに対応したアプリケーション起動信号を表示装置へ送信し、表示装置側で当該アプリケーションを起動させるという技術が開示されている。
【特許文献１】特開２００４−３５６８３１（段落［００１６］、図１等）
【発明の開示】
【発明が解決しようとする課題】
【０００３】
ところで、昨今地上波又は衛星波によるデジタル放送が開始されており、上記のようなカードにデジタル放送受信機能を設けてカード型の受信装置とし、当該カード型受信装置をノート型のパーソナルコンピュータ等に挿入して、パーソナルコンピュータ側のアプリケーションによりデジタル放送を視聴するというようなことが考えられる。
【０００４】
しかしながら、上記特許文献１記載の技術をデジタル放送の視聴に応用し、上記文献記載のメモリーカードを、デジタル放送を受信可能なカード型の受信装置として、表示装置においてデジタル放送を視聴することを想定した場合、当該文献においては、リモートコントローラから表示装置へ起動信号を伝送する場合の伝送方式として例えば赤外線やマイクロ波を用いているため、リモートコントローラの表示装置に対する指向性や、リモートコントローラと表示装置との間の障害物が問題となり、リモートコントローラを表示装置に向けたり、障害物をどけたりする等、ユーザに対して余計な作業を強いる結果となる場合がある。そのような場合には、せっかくアプリケーションの起動を自動化しても、放送の視聴にあたって逆にユーザに不便を与えることとなる。
【０００５】
上記事情に鑑み、本発明の目的は、ユーザの操作を極力省略して、容易にデジタル放送を視聴することが可能な電子機器、再生方法及びプログラムを提供することにある。
【課題を解決するための手段】
【０００６】
上述の課題を解決するため、本発明の主たる観点に係る電子機器は、デジタル放送の放送データを受信可能なカード型の受信装置と接続する接続手段と、前記接続手段により前記カード型受信装置が接続されたときに当該カード型受信装置で受信された放送データを受信して再生する再生手段とを具備する。
【０００７】
ここで放送データは映像データと音声データとが多重化されている場合もあるし、音声データのみの場合もある。カード型の受信装置とはアンテナやチューナー等を内蔵した例えばＰＣカード型やＣＦカード型の受信装置であり、また接続手段は例えば上記カード型受信装置を挿入可能なカードスロット及びその内部のコネクタ等から構成される。また再生とは映像を表示部に表示したり音声を出力したりすること及びそのためのアプリケーションを実行することをいう。
【０００８】
この構成によれば、ユーザが上記カード型の受信装置を例えばスロットに挿入する等して電子機器と接続するだけで、上記デジタル放送が自動的に再生されるため、ユーザは再生に必要なアプリケーションを起動させる等の操作をすることなく容易に放送を視聴することができる。
【０００９】
本発明の一の形態においては、前記デジタル放送は複数のチャンネルで放送されるものであり、上記電子機器は、前記再生される放送データが放送されるチャンネルを選局する選局手段と、前記接続手段による接続が切断されたときに選局されていたラストチャンネルに関する情報を記録する記憶手段と、前記記憶された情報を基に、前記接続切断後に前記接続手段により前記カード型受信装置と再接続されたときに前記ラストチャンネルを選局するように前記選局手段を制御する選局制御手段とを更に具備していても構わない。
【００１０】
この構成により、上記カード型受信装置の接続時にデジタル放送が再生される際に、前回のラストチャンネルが自動的に選局されることとなる。当該ラストチャンネルはユーザが少なくとも一度は視聴していたチャンネルであることからユーザの嗜好に合うチャンネルである可能性が高く、よって再接続の際にも選局される可能性が高いチャンネルである。従って、当該チャンネルを自動的に選局することにより、ユーザの選局操作を極力減らすことが可能となる。
【００１１】
本発明の一の形態においては、前記記憶手段は、前記ラストチャンネルに関する情報を前記接続切断毎に蓄積し、前記選局制御手段は、前記再接続時に前記ラストチャンネルで放送データが放送されていない場合には、前記蓄積された情報を基に前記接続切断時の前回の接続切断時のラストチャンネルを選局するように制御するようにしてもよい。これにより、例えば放送休止中の場合等、前回のラストチャンネルで放送データが放送されていない場合には前々回のラストチャンネルを選局することで、ユーザの嗜好を反映させると共に、放送されていないチャンネルが選局されてユーザに余計な操作を行わせることを極力防ぐことができる。
【００１２】
また、本発明の一の形態においては、前記記憶手段は、前記ラストチャンネルに関する情報を前記接続切断毎に蓄積し、前記選局制御手段は、前記再接続時に前記ラストチャンネルで放送データが放送されていない場合には、前記蓄積された情報を基に、当該ラストチャンネル以外のチャンネルのうち上記情報の蓄積数が最も多いチャンネルを選局するように制御するようにしてもよい。上記蓄積数が最も多いチャンネルは、ユーザの嗜好度が最も高いチャンネルである可能性が高いため、ユーザの嗜好をより反映させながらユーザの操作を省略することが可能となる。
【００１３】
本発明の一の形態においては、前記放送データは前記カード型受信装置を識別する識別情報を用いて暗号化されており、上記電子機器は、前記識別情報を予め記憶する手段と、前記記憶された識別情報を用いて、前記カード型受信装置から受信された放送データの暗号を復号する手段とを更に具備し、前記再生手段は、前記暗号が復号された場合に前記放送データを再生するようにしてもよい。上記識別情報とは、上記カード型受信装置に固有のＩＤであり、また、例えば上記デジタル放送が有料放送の場合には当該放送の視聴契約の有無を証明する情報となるものであって、例えば上記電子機器にカード型受信装置のドライバをインストールする際に電子機器内に記憶される。この構成により、上記カード型受信装置が受信した放送データを上記識別情報を暗号鍵として暗号化しているため、上記識別情報が異なるカード型受信装置を電子機器と接続しても当該暗号を復号できず、放送を視聴することはできないこととなる。すなわち、上記識別情報を放送データ再生のための鍵として利用することで、放送視聴権限のない者が上記デジタル放送を視聴することができないようにし、有料放送ビジネスの形骸化を防止することができる。
【００１４】
本発明の他の観点に係る再生方法は、デジタル放送の放送データを受信可能なカード型の受信装置と接続するステップと、前記接続手段により前記カード型受信装置が接続されたときに当該カード型受信装置で受信された放送データを受信して再生するステップとを具備する。
【００１５】
また本発明の更に別の観点に係るプログラムは、電子機器に、デジタル放送の放送データを受信可能なカード型の受信装置と接続するステップと、前記接続手段により前記カード型受信装置が接続されたときに当該カード型受信装置で受信された放送データを受信して再生するステップとを実行させるためのものである。
【発明の効果】
【００１６】
本発明によれば、ユーザの操作を極力省略して、容易にデジタル放送を視聴することが可能な電子機器、再生方法及びプログラムを提供することができる。
【発明を実施するための最良の形態】
【００１７】
以下、本発明の実施の形態を図面に基づき詳細に説明する。
【００１８】
本実施形態においては、電子機器としてノート型のパーソナルコンピュータ１を適用している。また、放送の受信から映像及び／又は音声の再生までの処理のうち、放送の受信や当該放送信号の復調等の処理を、当該パーソナルコンピュータ１のＰＣカードスロットに挿入したカード型の受信装置１０により実行している。まず、当該カード型の受信装置１０について説明する。
【００１９】
（カード型の受信装置の外観構成）  
【００２０】
図１は本発明の一実施形態に係るカード型の受信装置の外観を示す斜視図であって、アンテナ収容ケースを折り畳んだ状態を示している。図２は当該カード型の受信装置の外観を示す図であって、アンテナ収容ケースを開いた状態を示している。図３は当該カード型の受信装置がパーソナルコンピュータのＰＣカードスロットに挿入された状態を示している。
【００２１】
これらの図に示すように、このカード型の受信装置１０は、パーソナルコンピュータ１のＰＣカードスロット２に挿入可能とされている。  
【００２２】
このカード型の受信装置１０は、パーソナルコンピュータ１のＰＣカードスロット２内に収容されるカード本体２０と、このカード本体２０と一体化され、かつ、カード本体２０がＰＣカードスロット２内に収容されたときに当該カードスロット２より外側に露出する外出部３０とを有する。
【００２３】
カード本体２０は、長方形で金属製の筺体２１と、筺体２１の一辺側（外出部３０がある側とは反対側の辺）に設けられたコネクタ２２とを有する。コネクタ２２は、メス型であり、カード本体２０がＰＣカードスロット２内に収容されたときにＰＣカードスロット２内の対応する位置に設けられたオス型のコネクタ（図示せず）に接続されるようになっている。なお、カード本体２０の表面には、商品の名称や注意書き等が印刷されたシール（図示せず）が貼られている。
【００２４】
外出部３０は、カード本体２０がＰＣカードスロット２内に収容される第１の方向（Ｘ方向）にカード本体２０から延在された第１のケース３１と、第１のケース３１におけるＸ方向と直交する方向（Ｙ方向）の両側の枢着部３２にそれぞれ枢着された２つの第２のケース（アンテナ収容ケース）３３とを有する。第１のケース３１は、例えばカード本体２０より僅かに厚く、且つ、僅かに幅が大きいプラスチック製のケースであり、カード本体２０におけるコネクタ２２が設けられた辺とは反対側の辺に突き出るように設けられている。
【００２５】
第１のケース３１の表面３４のほぼ中央には、Ｘ方向に所定の間隔をもって配置され、それぞれＹ方向に延びる２つのゴム製のクッション部材３５が取り付けられている。なお、第１のケース３１の裏面には、商品特定用のバーコードが印刷されたシール（図示せず）が貼られている。
【００２６】
２つの第２のケース３３は、左右対称の形状を有しており、第２のケース３３の折り畳み時には第２のケース３３の表面３６が第１のケース３１の表面３４と対面して第１のケース３１と第２のケース３３とが一体化して形状となり、各第２のケース３３をＹ方向に開いたとき、つまりこの受信装置１０の使用時には２つの第２のケース３３の表面３６が第１のケース３１の表面３４と同じ方向（仰向き）となるように、枢着部３２を介してカード本体２０に枢着されている。
【００２７】
各第２のケース３３の表面３６には、それぞれ十字上の溝３７が設けられている。また、各第２のケース３３の表面３６のＹ方向の外側２箇所には突起部３８が設けられている。この突起部３８は、第２のケース３３の折り畳み時に、第１のケース３１の表面３４に取り付けられたクッション部材３５に当接するようになっている。これにより、第２のケース３３の折り畳み時の機械的ショックが第１のケース３１及び第２のケース３３に極力影響しないようにされている。
【００２８】
各第２のケース３３の第１のケース３１がある側とは反対側の側面には、外部アンテナ接続端子３９が設けられている。外部アンテナ接続端子３９にはゴム製のキャップ４０が取り付けられている。
【００２９】
（カード型の受信装置１０の内部構成）  
【００３０】
ここで、このカード型の受信装置１０は、衛星放送を受信して暗号化された映像信号及び／又は音声信号をパーソナルコンピュータ１に伝送するものである。なお、当該衛星放送における放送信号の伝送にはマルチパス環境においても良好な受信が可能なＣＤＭ（Ｃｏｄｅ  Ｄｉｖｉｓｉｏｎ  Ｍｕｌｔｉｐｌｅｘｉｎｇ；符号分割多重）方式を用いることが好ましい態様であるが、他の方式であっても勿論構わない。ＣＤＭ方式は、伝送されるデジタルデータのストリームにおける１シンボル内のマルチパスフェージングによって散乱して受信機に到来した受信信号を複数の相関受信機を用いて分離し、散乱した信号を合成して信号電力を高めて受信するＲＡＫＥ受信を行うことにより、耐マルチパス特性の高い受信が可能となる。
【００３１】
図４はこの実施形態に係るカード型の受信装置１０の内部構成を示すブロック図である。  
【００３２】
同図に示すように、第２のケース３３内には、平面型のパッチアンテナ４１、ＬＮＡ（ローノイズアンプ）４２及びアンテナ切り替え部４３が収容されている。ＬＮＡ４２は、パッチアンテナ４１又は外部アンテナから入力されたＲＦ信号を増幅する増幅器である。アンテナ切り替え部４３は、外部アンテナ接続端子３９に外部アンテナが接続されたとき、当該接続による力によって平面型のパッチアンテナ４１に代えて外部アンテナからの信号がＬＮＡ４２に入力されるように切り替えるものである。外部アンテナが外されたときには、その逆の動作が行われる。
【００３３】
図５に示すように、平面型のパッチアンテナ４１は、第２のケース３３の表面３６側に指向性を有するアンテナである。この平面型のパッチアンテナ４１の裏面に、ＬＮＡ４２及びアンテナ切り替え部４３が配置されている。
【００３４】
第１のケース３１内には、増幅されたＲＦ信号を復調部に渡すためにダウンコンバートするＲＦダウンコンバート部４４が設けられている。
【００３５】
図６に示すように、このＲＦダウンコンバート部４４を構成する素子における第１のケース３１の表面３４側には、グランドに接地された金属製の板状部材４５により覆われている。これにより、ＲＦダウンコンバート部４４から発生する熱をより効果的に放熱することが可能となり、ＲＦダウンコンバート部４４から発生するノイズがＬＮＡ４２に回り込むことがなくなる。
【００３６】
カード本体２０内には、ＲＦダウンコンバート部４４によりダウンコンバートされたＲＦ信号を復調する復調部４６、条件付きアクセスまたは限定受信にされている有料放送において受信契約の有無に応じてＲＦ信号の解読を実行するか否かを規制するコンディショナル・アクセス部４７、パーソナルコンピュータ１との間でインターフェースを図ると共にパーソナルコンピュータ１側に送出する復調された信号を暗号化するインターフェース部４８及びコネクタ２２が設けられている。なお、カード本体２０内には、これらの要素の他に、装置全体を包括的に制御するための制御部やＲＡＭ(Random Access Memory)、ＲＯＭ(Read Only Memory)、パーソナルコンピュータ１から供給された電力を各部に供給するための電源部等（以上、図示を省略）を備える。
【００３７】
以上の第１のケース３１内及びカード本体２０内の各構成部品は１枚の共通の基板４９上に実装されている。
【００３８】
次に、上記のようなカード型の受信装置１０が接続されるパーソナルコンピュータ１について説明する。図７は、パーソナルコンピュータ１の構成を示したブロック図である。
【００３９】
同図に示すように、パーソナルコンピュータ１は、インターフェース部７１、デコーダ７２、グラフィックコントローラ７３、Ｄ／Ａ（デジタル／アナログ）コンバータ７４、表示部７５、音声出力部７６、操作入力部７７、バッテリ７８、ＨＤＤ７９、ＣＰＵ(Central Processing Unit)８０、ＲＡＭ８１及びＲＯＭ８２で構成され、それらはバス８３で接続されている。
【００４０】
インターフェース部７１は、パーソナルコンピュータ１とカード型の受信装置１０とを接続するインターフェースとなる。当該インターフェース部７１は具体的には上述したＰＣカードスロット２であり、当該スロット２内のオス型のコネクタが上記カード型受信装置１０のメス型のコネクタ２２と接続することで、上記復調部４６において復調され、インターフェース部４８において暗号化された信号がパーソナルコンピュータ１内に送入される。
【００４１】
デコーダ７２は、上記インターフェース部７１を介して送入されたデジタル信号の処理を行う。具体的には、暗号化されたデジタル信号を復号するとともに、例えばＭＰＥＧ−２（Moving Picture Experts Group-2）のＴＳ（トランスポートストリーム）方式で圧縮されたデジタル信号をＭＰＥＧ−２の規定に従ってデコードする。当該デコードされたデジタル信号のうち、映像信号はグラフィックコントローラ７３へ送られ、音声信号はＤ／Ａコンバータ７４へ送られる。更に、データ信号又はＳＩ／ＰＳＩ（Program Specific Information / Service Information）信号からは、各チャンネルで放送される番組の番組内容が記述されたＥＰＧデータが抽出され、ＲＡＭ８１へ記憶される。なお、本実施形態においては、デコーダ７２はソフトウェアにより実現されるが、ハードウェアによって実現されても勿論構わない。
【００４２】
グラフィックコントローラ７３では、受信したデジタル映像信号が例えばＮＴＳＣ画像信号に変換され、当該ＮＴＳＣ画像が、例えばＬＣＤ（Liquid Crystal Display）等でなる表示部７５へ表示される。また、Ｄ／Ａコンバータ７４では、デジタル音声信号がアナログ音声信号へ変換され、当該アナログ音声信号が音声出力部７６から出力される。
【００４３】
操作入力部７７は、例えばキーボード、マウス、トラックパッド、タッチパネル、操作ボタン等でなり、番組を再生又は録画したり、チャンネルを選局したりする際のユーザの操作を入力する。またバッテリ７８は、パーソナルコンピュータ１の電源を供給すると共に、上記インターフェース部７１を介してカード型受信装置１０へ電力を供給する。
【００４４】
ＨＤＤ７９は、ＯＳや各種アプリケーション等、パーソナルコンピュータ１を動作させるために必要なプログラムや各種データを格納している。本実施形態においてデジタル放送を視聴するための放送視聴アプリケーション８４や、後述するラストチャンネル履歴情報も当該ＨＤＤ７９に格納される。
【００４５】
ＣＰＵ８０は、ＲＯＭ８２に格納されている制御プログラムや、上記放送視聴アプリケーション８４のような各種アプリケーションプログラム、各種データをＲＡＭ８１に展開し、上記操作入力部７７から入力されたユーザの指示に基づいて、各種ハードウェアやプログラムの処理を行い、パーソナルコンピュータ１の全体の動作を制御する。
【００４６】
次に、本実施形態において放送を視聴するために必要な放送視聴アプリケーション８４及び各データについて説明する。図８は、当該放送視聴アプリケーション８４及びデータの詳細を示した図である。
【００４７】
同図に示すように、ＨＤＤ７９には、放送視聴アプリケーション８４と、識別情報９５及びラストチャンネル履歴情報９６の各データが格納されている。放送視聴アプリケーション８４は、放送再生プログラム９１、カード接続検出プログラム９２、チャンネル選局制御プログラム９３及び暗号化データ復号プログラム９４から構成される。
【００４８】
放送再生プログラム９１は、上記カード型受信装置１０において受信され、上記インターフェース部７１を介してパーソナルコンピュータ１へ送入された放送信号に対して、デコードや、表示部７５及び音声出力部７６への出力等、放送の再生に必要な処理を行なうプログラムである。
【００４９】
カード接続検出プログラム９２は、上記インターフェース部７１のＰＣカードスロット２にカード型受信装置１０が挿入されたときに、当該インターフェース部７１からＣＰＵ８０を介して送信される検出信号をチェックして、カード型受信装置１０とパーソナルコンピュータ１とが電気的に接続されているか否かを検出するためのプログラムである。
【００５０】
チャンネル選局制御プログラム９３は、ユーザの選局操作に基づいてチャンネルを選局する他、上記カード接続検出プログラム９２と協働して、上記カード型受信装置１０とパーソナルコンピュータ１との接続が切断される毎に、当該切断時に選局されていたチャンネルをラストチャンネル履歴情報９６として記憶し、当該ラストチャンネル履歴情報９６を基に、次回の接続時におけるチャンネルの選局処理を制御するためのプログラムである。
【００５１】
暗号化データ復号プログラム９４は、上記カード型受信装置１０のインターフェース部４８で暗号化された放送データを、上記デコーダ７２と協働して復号するためのプログラムである。上記放送データは、上述したように上記インターフェース部４８において、カード型受信装置１０を識別する識別情報を暗号鍵として暗号化されており、暗号化データ復号プログラムは、例えば当該カード型受信装置１０のドライバをパーソナルコンピュータ１にインストールする際等に当該識別情報を記憶しておき、上記暗号化された放送データをカード型受信装置１０から受信した場合には当該識別情報を復号鍵として復号する。なお、当該識別情報は、カード型受信装置１０に固有のＩＤ及び上記暗号鍵としての意義のみならず、上記デジタル放送が有料放送の場合には、有料放送受信契約の有無を示す情報としての意義も有している。
【００５２】
これらのプログラムの動作の詳細については後述する。
【００５３】
図９は、上記ラストチャンネル履歴情報９６の詳細を示した図である。同図に示すように、ラストチャンネル履歴情報９６には、上記カード型受信装置１０とパーソナルコンピュータ１との接続切断時のラストチャンネルのチャンネル名、チャンネルを識別するチャンネルＩＤ及び当該履歴の記録日時（接続切断日時）の各情報が、接続切断毎に履歴として蓄積される。
【００５４】
図１０は、本実施形態において放送視聴アプリケーション８４が起動した場合に表示部７５に表示される放送視聴用のウィンドウ（以下、視聴ウィンドウという）の例を示した図である。  
【００５５】
同図に示すように、視聴ウィンドウ１００においては、番組の映像が表示される番組表示画面１０４の上部に、チャンネル表示欄１０１及び番組表示欄１０３を有する。チャンネル表示欄にはチャンネルＩＤとチャンネル名が表示され、また当該欄右端のチャンネル切替ボタン１０２をユーザが操作入力部７７を介してクリック等することによりチャンネルの切替（選局）を行なうことが可能となっている。
【００５６】
番組表示画面１０４の下部には音量調整エリア１０５が表示され、ユーザが当該エリア内の任意の位置又は両端のボタンをクリック等することにより音量調整を行なうことが可能となっている。
【００５７】
次に、以上のように構成されたカード型受信装置１０及びパーソナルコンピュータ１の動作について説明する。図１１は、パーソナルコンピュータ１において放送データが再生される際の動作の流れを示したフローチャートである。
【００５８】
同図に示すように、まず、パーソナルコンピュータ１は、上記インターフェース部７１へカード型受信装置１０が挿入されて、バッテリ７８からインターフェース部７１を介してカード型受信装置１０に対して電力が供給されることにより、カード型受信装置１０との接続を検出したか否かを確認する（ステップ１１１）。接続を確認した場合には（ステップ１１１のＹＥＳ）、当該検出を放送視聴アプリケーション８４のカード接続検出プログラムに伝え、放送視聴アプリケーション８４を起動させる（ステップ１１２）。
【００５９】
そして、上記チャンネル選局制御プログラム９３は、カード型受信装置１０の復調部４６等との信号のやりとりにより、前回の接続切断時のラストチャンネルで放送データが放送されているか否かを確認する（ステップ１１３）。当該ラストチャンネルの放送がある場合（ステップ１１３のＹＥＳ）には、チャンネル選局制御プログラム９３は、当該ラストチャンネルを設定して当該チャンネルを選局するよう上記復調部４６へ指示する（ステップ１１４）。また、当該ラストチャンネルで放送がされていない場合（ステップ１１３のＮＯ）には、上記ＨＤＤ７９に記憶したラストチャンネル履歴情報９６を参照して、当該放送がないラストチャンネル以外のチャンネルのうち、当該履歴中に最も多く記憶されたラストチャンネルの選局を指示する（ステップ１１５）。例えば上記図９に示した６つのラストチャンネル履歴情報９６中においては、前回のラストチャンネルは「モバイル総合ｃｈ」であり、当該チャンネルが放送されている場合には当該チャンネルを選局するが、当該チャンネルが放送されていない場合には、当該「モバイル総合ｃｈ」以外のチャンネルで履歴が最多のチャンネル、すなわち「ＭＭＭ２４」の選局を指示する。
【００６０】
続いて、パーソナルコンピュータ１は、カード型受信装置１０において選局、復調及び暗号化された放送データをインターフェース部４８を介して受信し、当該放送データに対して上記識別情報９５を復号鍵として複合を試みる（ステップ１１７）。復号できた場合には、デコーダ７２や表示部７５、音声出力部７６、放送再生プログラム９１等の処理により、上記選局されたチャンネルの放送データを再生する（ステップ１１８）。復号できなかった場合には、例えば「カード型受信装置の識別番号が異なるため視聴できない」旨のエラー表示をする（ステップ１１９）。
【００６１】
ここまでの処理により、上記図１０の視聴ウィンドウ１００においては、当該選局されたチャンネルの情報がチャンネル表示欄１０１や番組表示欄１０３に表示され、当該チャンネルの映像が上記表示画面１０４に表示されることとなる。すなわち、ここまでの処理について、ユーザは、カード型受信装置１０をＰＣカードスロット２へ挿入する作業以外は何の操作も行わずに済むこととなる。
【００６２】
そして、ユーザが視聴を終了し、カード型受信装置１０をＰＣカードスロット２から取り出すことによってパーソナルコンピュータ１とカード型受信装置１０との接続が切断された場合（ステップ１２０のＹＥＳ）、チャンネル選局制御プログラム９３は、当該切断時の選局チャンネルをラストチャンネル履歴情報９６として記憶し（ステップ１２１）、放送視聴アプリケーションを終了する（ステップ１２２）。以上の処理が、ユーザがカード型受信装置１０をカードスロット２へ挿入する毎に繰り返されることとなる。
【００６３】
以上の動作により、ユーザがカード型受信装置１０をカードスロット２へ挿入するだけで、上記放送視聴アプリケーション８４が自動的に起動され、上記ラストチャンネルの放送データが再生されるため、ユーザはパーソナルコンピュータ１上で何の操作をせずとも容易に放送を視聴することができる。また、ユーザが以前に視聴していたラストチャンネルを自動的に選局することで、ユーザの嗜好に極力合致した放送データの再生も可能となる。更に、上記識別情報により放送データを暗号化することで、他のカード型受信装置を有するユーザはパーソナルコンピュータ１上で放送を視聴できないこととなるため、カード型受信装置１０と放送視聴アプリケーション８４をセットとして有する放送視聴権限者のみに放送を視聴させることで、例えば有料放送システムの形骸化を防止することも可能となる。
【００６４】
なお、本発明は上述の実施形態にのみ限定されるものではなく、本発明の要旨を逸脱しない範囲内において種々変更を加え得ることは勿論である。
【００６５】
上述の実施形態においては、放送受信装置としてはＰＣカード型のものを用いたが、例えばＣＦカードやＳＤカード（登録商標）、メモリースティック等の他のメモリーカードの規格に準拠したカード型の受信装置を用いて、またパーソナルコンピュータ側で当該規格に合うスロットを設けて本発明を実現してもよい。また、ＵＳＢ（Universal Serial Bus）によりカード型受信装置１０とパーソナルコンピュータ１とを接続するようにしても構わない。
【００６６】
また、上述の実施形態においては、前回のラストチャンネルが放送されていない場合には、当該ラストチャンネル以外で、上記ラストチャンネル履歴情報９６中に最も多く蓄積されたラストチャンネルを選局するようにしたが、例えば、前回のラストチャンネルが放送されていない場合には前々回のラストチャンネルを選局するようにしてもよい。その際、当該前々回のラストチャンネルも放送されていない場合は、その一つ前のチャンネル、そのチャンネルも放送されていない場合には更に一つ前のチャンネル、というように、ラストチャンネル履歴情報９６に新しく記憶された順に確認して放送されているチャンネルを選局するようにすればよい。
【００６７】
また、上述の実施形態において、カード型受信装置１０は、映像及び音声からなるチャンネル（映像チャンネル）のみならず、音声のみのチャンネル（音声チャンネル）も受信可能であり、パーソナルコンピュータ１は当該２種類のチャンネルのモードを切り替えて再生するようにしても構わない。この場合、上記ラストチャンネル履歴情報９６には両方のモードのチャンネル情報が記憶され、次回の接続時に前回のラストチャンネルで放送が無い場合には、両モードを合わせて蓄積数が最多のチャンネルが選局されるようにしてもよい。
【図面の簡単な説明】
【００６８】
【図１】本発明の一実施形態に係るカード型の受信装置の外観を示す斜視図であって、アンテナ収容ケースを折り畳んだ状態を示している。
【図２】一実施形態に係るカード型の受信装置の外観を示す図であって、アンテナ収容ケースを開いた状態を示している。
【図３】一実施形態に係るカード型の受信装置がパーソナルコンピュータのＰＣＭＣＩＡカードスロットに挿入された状態を示した図である。
【図４】本実施形態に係るカード型の受信装置１０の内部構成を示すブロック図である。
【図５】一実施形態に係る第２のケースの断面図である。
【図６】一実施形態に係る第１のケースの断面図である。
【図７】一実施形態に係るパーソナルコンピュータ１の構成を示したブロック図である。
【図８】一実施形態において放送を視聴するために必要な放送視聴アプリケーション８４及びデータの詳細を示した図である。
【図９】一実施形態におけるラストチャンネル履歴情報９６の詳細を示した図である。
【図１０】一実施形態における視聴ウィンドウの例を示した図である。
【図１１】パーソナルコンピュータ１において放送データが再生される際の動作の流れを示したフローチャートである。
【符号の説明】
【００６９】
１…パーソナルコンピュータ
２…ＰＣカードスロット
１０…カード型受信装置
４１…パッチアンテナ
４２…ＬＮＡ
４４…ＲＦダウンコンバート部
４６…復調部
４７…コンディショナル・アクセス部
４８…インターフェース部
４９…基板
７１…インターフェース部
７２…デコーダ
７３…グラフィックコントローラ
７４…Ｄ／Ａコンバータ
７５…表示部
７６…音声出力部
７７…操作入力部
７８…バッテリ
７９…ＨＤＤ
８０…ＣＰＵ
８４…放送視聴アプリケーション
９１…放送再生プログラム
９２…カード接続検出プログラム
９３…チャンネル選局制御プログラム
９４…暗号化データ復号プログラム
９５…識別情報
９６…ラストチャンネル履歴情報
１００…視聴ウィンドウ
１０４…番組表示画面
【図１】
2006246150.tif 000003
【図２】
2006246150.tif 000004
【図３】
2006246150.tif 000005
【図４】
2006246150.tif 000006
【図５】
2006246150.tif 000007
【図６】
2006246150.tif 000008
【図７】
2006246150.tif 000009
【図８】
2006246150.tif 000010
【図９】
2006246150.tif 000011
【図１０】
2006246150.tif 000012
【図１１】
2006246150.tif 000013